(57)【要約】【課題】  ビスの屋根下地材に対する耐引抜力を強化し、かつビスの回転緩みが生じない防水シート屋根構造およびこの屋根構造を備えた屋根パネルを提供する。【解決手段】  金属板製の屋根下地材１と、この屋根下地材１上に敷設された断熱材２と、この断熱材２を覆う防水シート６と、前記断熱材２および屋根下地材１を貫通して屋根下地材１に形成された孔１ａにねじ込まれ前記断熱材２を屋根下地材１に固定するタッピングビス型のビス３を備える。前記ビス３に噛み合って前記屋根下地材１の裏面に係合するねじ止めクリップ７を設ける。屋根パネルは、パネルフレームに屋根下地材１を張ったものであり、上記防水シート屋根構造を備える。【選択図】        図１
2007211441.tif 000002
【特許請求の範囲】
【請求項１】
金属板製の屋根下地材と、この屋根下地材上に敷設された断熱材と、この断熱材を覆う防水シートと、前記断熱材および屋根下地材を貫通して屋根下地材に形成された孔にねじ込まれ前記断熱材を屋根下地材に固定するタッピングビス型のビスを備えてなる防水シート屋根構造であって、
前記ビスに噛み合って前記屋根下地材の裏面に係合するねじ止めクリップを設けたことを特徴とする防水シート屋根構造。
【請求項２】
請求項１において、前記ねじ止めクリップが、板ばねである防水シート屋根構造。
【請求項３】
請求項１において、前記ねじ止めクリップの代わりに、前記ビスに螺合して前記屋根下地材の裏面に係合するロックナットを設けた防水シート屋根構造。
【請求項４】
複数枚並設されることで、請求項１ないし請求項３のいずれかに記載の防水シート屋根構造を構成する屋根パネルであって、パネルフレームと、このパネルフレームに張られた屋根下地材と、この断熱材を覆う防水シートと、前記ビスと、前記ねじ止めクリップまたは前記ロックナットとを備える防水シート屋根パネル。
【発明の詳細な説明】
【技術分野】
【０００１】
この発明は、防水シート屋根構造と、この防水シート屋根構造を備える屋根パネルに関する。
【背景技術】
【０００２】
従来より、建築物などの屋根として、図１１に示すように、屋根下地となるデッキプレート１０１の上に断熱材１０２を敷設し、この断熱材１０２を、溶着用樹脂被覆１０５を有するディスク１０４が装着されたビス１０３により固定し、その上を防水シート１０６により覆った後に、ディスク１０４を高周波加熱などして防水シート１０６に融着固定してなる屋根構造１００が知られている（特許文献１）。
【特許文献１】特開平４−２５４６４９号公報
【発明の開示】
【発明が解決しようとする課題】
【０００３】
上記のような屋根構造においては、ビス１０３による締め付けが甘かったり、台風等の強風や、建物形状、その他の要因で、デッキプレート１０１が振動を起こし易いなどの条件が重なった場合に、アンカーとなるビス１０３に緩みが生じ、ディスク１０４が浮き上がることがある。
このような浮き上がりを防止するために、ビス１０３の頂部と防水シート１０６とを接着一体とするなどしてビス１０３に回り止めを施し、これによって、ビス１０３の緩みを抑えるものを提案した（特願２００５−０４８７５２号）。
【０００４】
上記提案例によると、デッキプレート１０１等に大きな振動が生じても、ビス１０３の緩み抑制が効果的になされ、ディスク１０４の浮き上がり防止される。しかし、この回り止めは、ビス１０３の引抜力に対して、ビス１０３とデッキプレート１０１との一体化強度を高めるには十分ではなく、台風等の苛酷な環境下に晒されると、防水シート１０６が煽られ、ディスク１０４が浮き上がることが、なお起こることが予想される。
【０００５】
この発明の目的は、ビスの屋根下地材に対する引抜強度が強化され、かつ戻しトルクが向上し、強風振動等の繰り返し振動が加わっても、ビスの回転緩みが生じ難い防水シート屋根構造および屋根パネルを提供することである。
【課題を解決するための手段】
【０００６】
この発明の防水シート屋根構造は、金属板製の屋根下地材と、この屋根下地材上に敷設された断熱材と、この断熱材を覆う防水シートと、前記断熱材および屋根下地材を貫通して屋根下地材に形成された孔にねじ込まれ前記断熱材を屋根下地材に固定するタッピングビス型のビスを備えてなる防水シート屋根構造であって、前記ビスに噛み合って前記屋根下地材の裏面に係合するねじ止めクリップを設けたことを特徴とする。前記屋根下地材はデッキプレート等であっても良い。
【０００７】
この構成によると、断熱材はタッピングビス型のビスによって金属板製の屋根下地材に固定される。この場合に、上記ビスに噛み合って屋根下地材の裏面に係合するねじ止めクリップを設けたので、ビスに引抜荷重が作用したときに、ねじ止めクリップが屋根下地材の裏面に引っ掛かるため、通常のねじ山のみでの係合の場合に比べて引抜強度が向上する。ねじ止めクリップはビスに噛み合うため、戻しトルクも強化される。そのため、予想を超える強風振動により繰り返し振動が加わっても、ビスの上記引抜強度の向上、および戻しトルクの向上のため、ビスの回転緩みが生じ難い。また、断熱材が人に踏まれたりして断熱材の復元力が低下しても、上記と同様にビスの戻しトルクが大きいため、回転緩みが生じ難い。ねじ止めクリップは、ビスに噛み合わせることで装着できるため、施工性にも優れる。
【０００８】
この発明において、前記ねじ止めクリップを板ばねとしても良い。板ばねとすると、弾性変形により振動が吸収され、ねじ止めクリップによるビスの回転緩み止め効果が向上する。
【０００９】
この発明において、前記ねじ止めクリップの代わりに、前記ビスに螺合して前記屋根下地材の裏面に係合するロックナットとしても良い。ロックナットとすると、ビスと屋根下地材の雌ねじとの間の噛み合い隙間を無くすことができ、ビスの回転緩み止め効果がより向上する。また、このロックナットは、屋根下地材の裏面に係合するため、ねじ止めクリップと同様に、ビスの引抜強度が強化される。
【００１０】
この発明の防水シート屋根パネルは、複数枚並設されることで、請求項１ないし請求項３のいずれかに記載の防水シート屋根構造を構成する屋根パネルであって、パネルフレームと、このパネルフレームに張られた屋根下地材と、この断熱材を覆う防水シートと、前記ビスと、前記ねじ止めクリップまたは前記ロックナットとを備える。
この構成の防水シート屋根パネルによると、複数枚並設されてこの発明の防水シート屋根構造を構成し、この発明の防水シート屋根構造における上記各効果が得られる。上記ねじ止めクリップまたはロックナットを装着する工程は、現場施工の屋根構造の場合、高所での作業となるが、屋根パネルであると、工場等でねじ止めクリップまたはロックナットを装着しておくことができるため、ねじ止めクリップ等の追加による施工性の低下が回避される。
【発明の効果】
【００１１】
この発明の防水シート屋根構造は、金属板製の屋根下地材と、この屋根下地材上に敷設された断熱材と、この断熱材を覆う防水シートと、前記断熱材および屋根下地材を貫通して屋根下地材に形成された孔にねじ込まれ前記断熱材を屋根下地材に固定するタッピングビス型のビスを備えてなる防水シート屋根構造であって、前記ビスに噛み合って前記屋根下地材の裏面に係合するねじ止めクリップを設けたため、ビスの屋根下地材に対する引抜強度が強化され、かつ戻しトルクが向上し、強風振動等の繰り返し振動が加わっても、ビスの回転緩みが生じ難いという効果が得られる。
【００１２】
この発明の防水シート屋根パネルは、この発明の防水シート屋根構造におけるビスの屋根下地材に対する引抜強度が強化され、かつ戻しトルクが向上し、強風振動等の繰り返し振動が加わっても、ビスの回転緩みが生じ難いという効果が得られ、かつねじ止めクリップ等を追加したことによる施工性の低下が回避され、生産性にも優れたものとなる。
【発明を実施するための最良の形態】
【００１３】
この発明の第１の実施形態を図１ないし図３と共に説明する。図１は、この実施形態の防水シート屋根構造の要部断面図であり、図２（Ａ），（Ｂ）はこの防水シート屋根構造に用いられるねじ止めクリップの一例を示し、図３はその施工方法例を示す。
この防水シート屋根構造Ａは、デッキプレートからなる金属板製の波形の屋根下地材１と、この屋根下地材１の上に敷設されたロックウールボードや石膏ボード等からなる断熱材２と、この断熱材２を覆う防水シート６と、タッピングネジ型のビス３とを備える。ビス３は、断熱材２および屋根下地材１を貫通して屋根下地材１に形成された孔１ａにねじ込まれる。屋根下地材１の孔１ａは、下孔として設けられたものであっても、またビス３をドリル付きタッピッグネジとしてビス３のねじ込み時に形成したものであっても良い。  この実施形態の防水シート屋根構造Ａは、上記構成において、ビス３に噛み合って屋根下地材１の裏面に係合する、板ばねからなるねじ止めクリップ７を設けたことを特徴とする。
【００１４】
ビス３の頭部３ａにはディスク４が装着一体とされる。ディスク４の表面には、ビス３との一体化よりも前に融着用樹脂５がコーティングされ、ディスク４を高周波加熱などすることにより、この融着用樹脂５の融着によりディスク４と防水シート６とが一体に固定される。
【００１５】
ねじ止めクリップ７は、板ばねからなり、ばね鋼等の鋼板を図２（Ａ），（Ｂ）に示すような形状に板金加工して得られたものである。ねじ止めクリップ７は、方形で湾曲状態に形成された板ばね本体７ａの略中央に、前記ビス３のねじ部３ｂに噛み合うよう打抜き形成された噛合孔７ｂを有している。この板ばね本体７ａにはその長手方向に沿った２条の平行なスリット７ｃ，７ｃが噛合孔７ｂを挟むように形成され、さらに、このスリット７ｃ，７ｃと噛合孔７ｂとを連通させる切欠７ｄ，７ｄが形成されている。これにより、長手方向に対向し、その対向部に噛合孔７ｂが位置する一対のばね舌片７ｅ，７ｅが形成されている。このばね舌片７ｅ，７ｅは、板ばね本体７ａの凸曲面側に突出するように、板ばね本体７ａより小さな曲率半径で湾曲している。
【００１６】
施工方法を説明すると、断熱材２を屋根下地材１にビス３で固定した後、ビス３の屋根下地材１から下方に突出した部分に、ねじ止めクリップ７を取付ける。
施工現場では、ビス３のねじ込み等の固定作業等は、屋根上からの作業になり、ねじ止めクリップ７の取付けも屋根上から行うことになるが、ねじ止めクリップ７は、例えば図３に模式図で示す取付治具２１を用い、屋根の下方から取付けるようにしても良い。取付治具２１は、ねじ止めクリップ７を上面に乗せて吸着する磁石付きヘッド２３をバー材２２の上端に設け、バー材２２の下端に把手部２４を設けたものである。磁石付きヘッド２３は、上面がねじ止めクリップ７を安定して載置可能な凹み形状とされ、かつ上面中央にビス３の逃がし孔（図示せず）を有するものである。
同図のように、この取付治具２１の磁石付きヘッド２３の上面にねじ止めクリップ７を吸着状態に載せ、ねじ止めクリップ７の噛合孔７ｂにビス３が進入するようにして、取付治具２１を持ち上げる。ねじ止めクリップ７は、屋根下地板１の下面に安定して当たるまで取付治具２１により押し上げ、その後に取付治具２１を下げる。
【００１７】
ねじ止めクリップ７は、先端で噛合孔７ｂを形成する一対のばね舌片７ｅ，７ｅが下向きに突出しているため、ばね舌片７ｅ，７ｅが逆止爪として作用し、ビス３を噛合孔７ｂに押し込むことは円滑になされるが、ねじ止めクリップ７の抜けは、ばね舌片７ｅ，７ｅとの係合により阻止される。このように、磁石付きヘッド２３を有する取付治具２１を用いると、ねじ止めクリップ７の取付けが屋根下方から容易に行える。
【００１８】
この構成の防水シート屋根構造によると、断熱材２はビス３によってデッキプレートからなる屋根下地材１に固定される。この場合に、ビス３に噛み合って屋根下地材１の裏面に係合するねじ止めクリップ７を設けたので、ビス３に引抜荷重が作用したときに、ねじ止めクリップ７が屋根下地材１の裏面に引っ掛かるため、通常のビス３のねじ山のみでの係合の場合に比べて引抜強度が向上する。ねじ止めクリップ７はビス３に噛み合うため、戻しトルクも強化される。そのため、台風などで予想を超える強風振動により繰り返し振動が加わっても、ビス３の上記引抜強度の向上、および戻しトルクの向上のため、ビス３の回転緩みが生じ難い。また、屋根上に人が乗ったときなどに、断熱材４が人に踏まれたりして断熱材４の復元力が低下しても、上記と同様にビス３の戻しトルクが大きいため、回転緩みが生じ難い。
【００１９】
ねじ止めクリップ７は、ビス７に噛み合わせることで装着できるため、施工性にも優れる。図３のような取付治具２１を用いると、より一層容易に施工することができる。
ねじ止めクリップ７をこの実施形態のように板ばねとした場合は、弾性変形により振動が吸収され、ねじ止めクリップ７によるビス３の回転緩み止め効果が向上する。また、板ばねとすると、ねじ止めクリップ７の取付作業も容易となる。
また、この実施形態では、ビス３の頭部３ａがディスク４を介して防水シート６に接着され、これによりビス３の回り止め作用が得られるため、ビス３の回転緩みがより一層生じ難くなる。
【００２０】
図４および図５（Ａ），（Ｂ）は、この発明に係る防水シート屋根構造の第２の実施形態を示す。図４は、この実施形態の防水シート屋根構造の要部断面図であり、図５（Ａ），（Ｂ）はこの防水シート屋根構造に用いられるねじ止めクリップの一例を示し、（Ａ）は平面図、（Ｂ）は（Ａ）におけるＹ−Ｙ線断面図を示す。
この実施形態の防水シート屋根構造Ｂは、屋根下地材１、断熱材２、両者を固定するタッピングビス型のビス３、ビス３の頭部３ａに装着されたディスク４に融着用樹脂５の融着により一体に固定された防水シート６により基本構造が構成されている点は、第１の実施形態と同様であるが、ビス３に噛み合って前記屋根下地材１の裏面に係合するねじ止めクリップ８の形状が異なる。
【００２１】
ねじ止めクリップ８は、この例も板ばねからなり、ばね鋼板等を板金加工して、図５に示すように形成される。このねじ止めクリップ８は、屋根形に傾斜する一対のばね片８ａ，８ｂを備えた断面五角形の箱型形状に形成され、ばね片８ａ，８ｂの傾斜頭部はビス３のねじ部３ｂの径よりも小さな間隙ｄを以って上下段違いに対峙している。また、底部には、ビス３のねじ部３ｂを遊挿し得る長孔８ｃが形成されている。この板ばね８は、ビス３を、断熱材２および屋根下地材１を貫通し、屋根下地材１に形成された孔１ａにねじ込む際、図４に示すように天地反転させ、底部が屋根下地材１の裏面に当接・係合するように当てがわれる。そして、ビス３の先端部分を長孔８ｃに挿入し、ねじ込みを継続すると、ビス３のねじ部３ｂが、ばね片８ａ，８ｂの傾斜頭部間にその間隙ｄを押し開くように割り込む。この割込みと共にビス３のねじ部３ｂが、ばね片８ａ，８ｂの傾斜頭部端縁に噛み合い、ねじ込みに伴うこの噛み合い部におけるねじ作用によって、ばね片８ａ，８ｂを座屈するよう弾性変形させ、この弾性変形に伴う復元弾力によって板ばね８は屋根下地材１の裏面に弾性圧接される。
【００２２】
したがって、弾性変形されたばね片８ａ，８ｂは復元弾力を保有し、ビス３に対して引抜強度が付与される。これによって、ビス３と屋根下地材１との一体化が強力になされると共に、ビス３の回転緩み防止も確実になされる。なお、前記のようなビス３とシート６との接着による回り止め処置を併用するようにすれば、ビス３と屋根下地材１との一体化がより強固になされることは上記と同様である。
【００２３】
図６および図７（Ａ），（Ｂ）は、この発明に係る防水シート屋根構造の第３の実施形態を示す。図６は、この実施形態の防水シート屋根構造の要部断面図であり、図７（Ａ），（Ｂ）はこの防水シート屋根構造に用いられるロックナットの一例を示し、（Ａ）は平面図、（Ｂ）は（Ａ）におけるＺ−Ｚ線断面図を示す。
この実施形態の防水シート屋根構造Ｃは、屋根下地材１、断熱材２、両者を固定するタッピングビス型のビス３、ビス３の頭部３ａに装着されたディスク４に融着用樹脂５の融着により一体に固定された防水シート６により基本構造が構成されている点は、第１および第２の実施形態と同様であるが、ビス３に噛み合って前記屋根下地材１の裏面に係合するねじ止めクリップに代えロックナット９を用いた点で異なる。
【００２４】
ロックナット９は、ばね鋼を絞り加工して外形状を六角ナット形状とし、また、その中央部を湾曲凹部９ａとし、さらに、この湾曲凹部９ａの中心部にねじ孔９ｂを形成したものである。このロックナット９は、ビス３を、断熱材２および屋根下地材１を貫通し、屋根下地材１に形成された孔１ａにねじ込む際、図６に示すように天地反転させ、湾曲凹部９ａの反対側が屋根下地材１の裏面に当接・係合するように当てがわれる。そして、ビス３の先端部分をねじ孔９ｂに挿入し、ねじ込みを継続すると、ビス３のねじ部３ｂが、ねじ孔９ｂに螺合される。この螺合によって湾曲凹部９ａがさらに湾曲弾性変形し、ロックナット９はビス３のねじ部３ｂに締結され屋根下地材１の裏面に弾性変形に伴う復元弾力を保有した状態で係合される。
【００２５】
したがって、復元弾力を保有した状態で締結されたロックナット９により、ビス３に対して耐引抜力が付与される。これによって、ビス３と屋根下地材１との一体化が強力になされると共に、ビス３の回転緩み防止も確実になされる。なお、前記のような回り止め処置を併用するようにすれば、ビス３と屋根下地材１との一体化がより強固になされることは上記と同様である。
【００２６】
図８および図９は、この発明に係る防水シート屋根構造の第４の実施形態を示す。図８は、この実施形態の防水シート屋根構造の要部断面図であり、図９はこの防水シート屋根構造に用いられるロックナットの一例を示す平面図である。
この実施形態の防水シート屋根構造Ｄは、屋根下地材１、断熱材２、両者を固定するタッピングビス型のビス３、ビス３の頭部３ａに装着されたディスク４に融着用樹脂５の融着で一体に固定された防水シート６により基本構造が構成されている点は、第１の実施形態と同様であるが、ビス３に螺合して前記屋根下地材１の裏面に係合するロックナット１０が蝶ナット状の合成樹脂製ロックナットである点で、第３の実施形態と異なる。
【００２７】
ロックナット１０は、合成樹脂の成型体であり、胴部１０ａの中心にねじ孔１０ｂと、周体部に一対の摘み部１０ｃ，１０ｃとを備えている。このロックナット１０は、ビス３を、断熱材２および屋根下地材１を貫通し、屋根下地材１に形成された孔１ａにねじ込む際、図８に示すように天地反転させ、摘み部１０ｃの反対側が屋根下地材１の裏面に当接・係合するように当てがわれる。そして、ビス３の先端部分をねじ孔１０ｂに挿入し、ねじ込みを継続すると、ビス３のねじ部３ｂが、ねじ孔１０ｂに螺合される。この螺合によってロックナット１０はビス３のねじ部３ｂに締結され屋根下地材１の裏面に係合される。これによって、ビス３と屋根下地材１との一体化が強力になされると共に、ビス３の回転緩み防止も確実になされる。なお、前記の回り止め処置を併用するようにすれば、ビス３と屋根下地材１との一体化がより強固になされることは上記と同様である。また、ロックナット１０の形状は図例のものに限定されず、その他の蝶ナット形状のものも採用可能である。
【００２８】
これら図４〜図９の各実施形態の防水屋根構造Ｂ〜Ｄにおいても、ビス３がねじ止めクリップ８あるいはロックナット９，１０によって補強され、ビス３のねじ部３ｂにおける引抜強度の向上および戻しトルクの向上が図られているから、予想を超える強風によって強い振動が繰り返し加わっても、ビス３の回転緩みが生じることがない。また、ディスク４の下の断熱材２に外力が付加されその復元力が低下しても、上記同様ねじ部３ｂの戻しトルクが大きいため、回転緩みが生じ難い。さらに、ビス３に引抜力が作用した時、ねじ止めクリップ８あるいはロックナット９，１０も屋根下地材１に引っかかるため、通常のねじ山のみの場合に比べて耐引抜強度が向上する。
【００２９】
図１０は、上記実施形態の防水シート屋根構造を備える屋根パネルの一部切欠斜視図である。この屋根パネルは、複数枚並設されて屋根を構成する。
この実施形態の屋根パネルＰは、鉄骨製のパネルフレーム１１の上に、上記のように構成された防水シート屋根構造ＡないしＤのいずれかの構造体が設置されたものである。したがって、この構造体を構成する屋根下地材１、断熱材２および防水シート６には同一の符号を付している。また、ビスおよびこれに関連する部分の図示は省略している。これら構造体のパネルフレーム１１に対する設置は、図例のような波形屋根下地材１をパネルフレーム１１に張ることによってなされる。防水シート６の側縁部は外方に張り出しているが、これはこの張出部分を重ね合わせ溶着することにより、隣り合う屋根パネルＰ間における防水連続性を確保する施工を容易に行い得るようにするためである。
【００３０】
パネルフレーム１１は、左右の縦枠材１１ａ，１１ａとこれに直交する横枠材１１ｂ…とにより、平面視がはしご形に組枠・形成され、左右の縦枠材１１ａ，１１ａの外面側には、アングル材からなる接合ブラケット１２と、同じくアングル材からなる支承ブラケット１３とが、図示のように交互かつ間隔毎に取付られている。屋根の施工においては、縦枠材１１ａ，１１ａを建屋躯体の鉄骨梁（図示せず）に沿わせるようにし、上記接合ブラケット１２および支承ブラケット１３をこの鉄骨梁上に置く。そして、支承ブラケット１３は、鉄骨梁に支承させるだけとし、接合ブラケット１２はボルト・ナット等の適宜の接合具（図示せず）によって鉄骨梁に接合する。また、隣合う屋根パネルＰにおける防水シート６の張出部分を重ね合わせ溶着する。これによって、屋根パネルＰの据付施工が完了する。
【００３１】
この発明における屋根パネルＰは、工場において組立てられ、現場では建屋躯体に据付施工されるものであるから、前記ねじ止めクリップ７，８あるいはロックナット９，１０等の取付がパネルの裏面側からなし得、上からの一方向作業を採らざるを得ない現場工法よりも合理的でかつ効率的である。
【００３２】
なお、屋根下地材１としては、波形状のものに限らずその他の形状のものも採用可能である。さらに、ねじ止めクリップ７，８あるいはロックナット９，１０は、図例のものに限定されず、ビス３に噛み合いあるいは螺合して屋根下地材１の裏面に係合するよう用いられるものであれば、他の形状のものも採用される。
【図面の簡単な説明】
【００３３】
【図１】第１の実施形態の防水シート屋根構造の要部断面図である。
【図２】同防水シート屋根構造に用いられるねじ止めクリップの一例を示し、（Ａ）は平面図、（Ｂ）は（Ａ）におけるＸ−Ｘ線断面図を示す。
【図３】第１の実施形態における施工方法の説明図である。
【図４】第２の実施形態の防水シート屋根構造の要部断面図である。
【図５】同防水シート屋根構造に用いられるねじ止めクリップの一例を示し、（Ａ）は平面図、（Ｂ）は（Ａ）におけるＹ−Ｙ線断面図を示す。
【図６】第３の実施形態の防水シート屋根構造の要部断面図である。
【図７】同防水シート屋根構造に用いられるロックナットの一例を示し、（Ａ）は平面図、（Ｂ）は（Ａ）におけるＺ−Ｚ線断面図を示す。
【図８】第４の実施形態の防水シート屋根構造の要部断面図である。
【図９】同防水シート屋根構造に用いられるロックナットの一例の平面図である。
【図１０】この発明の防水シート屋根構造を備える屋根パネルの一部の切欠斜視図である。
【図１１】従来の防水シート屋根構造の要部断面図である。
【符号の説明】
【００３４】
１…屋根下地材
１ａ…孔
２…断熱材
３…ビス
６…防水シート
７…ねじ止めクリップ
８…ねじ止めクリップ
９…ロックナット
１０…ロックナット
１１…パネルフレーム
Ａ…防水シート屋根構造
Ｂ…防水シート屋根構造
Ｃ…防水シート屋根構造
Ｄ…防水シート屋根構造
Ｐ…屋根パネル
【図１】
2007211441.tif 000003
【図２】
2007211441.tif 000004
【図３】
2007211441.tif 000005
【図４】
2007211441.tif 000006
【図５】
2007211441.tif 000007
【図６】
2007211441.tif 000008
【図７】
2007211441.tif 000009
【図８】
2007211441.tif 000010
【図９】
2007211441.tif 000011
【図１０】
2007211441.tif 000012
【図１１】
2007211441.tif 000013